(57)【要約】【課題】  歩行時に足の指を開く、閉じるなどしながら坂道を歩く時のように歩行をすることで、下半身の普段使われない筋肉に負荷をかけ体力の向上を図ることができる中敷き及び履物を提供する。【選択図】図１
2014128544.tif 000002
【特許請求の範囲】
【請求項１】
中敷きの底面両側部に凹欠部を設け、前記中敷きの底面長手方向略中間部に凸起部を形成し、前記中敷きの上面は緩やかに弧を描くように形成することを特徴とする中敷き及びその中敷きを装着した履物。
【請求項２】
前記凸起部は弾力部材または空気室で形成されることを特徴とする請求項１に記載の中敷き及びその中敷きを装着した履物。
【請求項３】
前記足の指を広げる中敷き及び足の指を広げる履物の中敷きは、前記略中間部の凸起部後方から踵側端部まで欠切されることを特徴とする請求項１乃至請求項２に記載の中敷き及びその中敷きを装着した履物。
【発明の詳細な説明】
【技術分野】
【０００１】  本発明は、足の指を広げて歩くことができる中敷き及びその中敷きを装着した履物に関するものである。
【背景技術】
【０００２】  バランス訓練履物があった。
【先行技術文献】
【特許文献】
【０００３】
【特許文献１】  特願２０１０−２７５２９１号広報
【発明の内容】
【発明が解決しようとする課題】
【０００４】  特許文献１に記載の履物は、バランスの取り方などのトレーニングをする履物であったが、足の指と指の間隔を広げて歩行ができる履物ではなかった。
【０００５】  本発明は、足を地面に着地させるたびに足の指が広がる構造となる中敷き及びその中敷きを装着した履物とする。
【課題を解決するための手段】
【０００６】  請求項１に記載の本発明の中敷き及びその中敷きを装着した履物は、中敷きの底面両側部に凹欠部を設け、中敷きの底面長手方向略中間部に凸起部を形成し、中敷きの上面は緩やかに弧を描くように形成することを特徴とする。
【０００７】  請求項２に記載の本発明の中敷き及びその中敷きを装着した履物は、凸起部は弾力部材または空気室で形成されることを特徴とする。
【０００８】  請求項３に記載の本発明の中敷き及びその中敷きを装着した履物は、略中間部の凸起部後方から踵側縁部までを欠切することを特徴とする。
【発明の効果】
【０００９】  請求項１に記載の本発明の中敷き及びその中敷きを装着した履物は、拇指球側と小指球側に相当する中敷きの底面両側部に凹欠部を設け、中敷きの底面長手方向略中間部に凸起部を形成し、さらに、中敷きの上面を弧を描くように丸く形成することにより、本発明の中敷き及びその中敷きを装着した履物を履いて歩行をした際に、本発明の中敷きを介して足裏に地面からの押し上げが加わるように形成することができる。凹欠部と丸い上面の役割は、拇指球側と小指側のそれぞれの指を横に広げるためのものである。また、凸起部の役割は足の甲を上に押し上げるためのものである。足の指を広げ、通常より足の甲を高く上に持ち上げることで、足全体に刺激を与えることができ、足の脛などの筋肉に広く負荷をかけて歩くことができるという優れた効果を発揮するものである。
【００１０】  また、本発明の中敷きの略中間部を山状に凸起させることにより、登り坂を歩く時のような負荷が下半身に加わり、通常より歩行時の運動量が大きくなることが期待できる。その理由は、歩行による足の離着地時に、地面と足裏との接地角度が大きくなり、フクラハギやスネなどに通常より負荷が加わるためである。これにより、平地を歩く時よりも筋活動を向上させることができる。
【００１１】  請求項２に記載の本発明の中敷き及びその中敷きを装着した履物は、凸起部を弾力部材または空気室で形成することにより振動衝撃を吸収することができるとともに、地向に足を着地した際に足の指が広がりやすくなる構造とするものである。足の指が通常より広がった状態で歩行することで筋肉に加わる負荷を増大させることができるという優れた効果を発揮するものである。
【００１２】  請求項３に記載の本発明の足の指を広げる中敷きは、中敷きの略中間部に形成する凸起部の後方から踵側の縁部までを欠切することにより、通常の中敷きの２分の１の大きさで製造することができる。踵に相当する部分を欠切しても、本発明の中敷き及びその中敷きを装着した履物の機能は損なわれることはなく、請求項１と請求項２と同様の効果が得られ、なお且つ製造原価を抑えることができるという優れた効果を発揮するものである。
【図面の簡単な説明】
【００１３】
【図１】  本発明の中敷き及びその中敷きを装着した履物の中敷き部分の斜視図である。
【図２】  本発明の中敷き及びその中敷きを装着した履物の中敷き部分底面の斜視図である。
【図３】  本発明の中敷き及びその中敷きを装着した履物の中敷き部分の正面図である。
【図４】  本本発明の中敷き及びその中敷きを装着した履物の中敷きの斜視図である。
【図５】  本発明の中敷き及びその中敷きを装着した履物の中敷き部分の第２の実施例の斜視図である。
【図６】  本発明の本発明の中敷き及びその中敷きを装着した履物の中敷き部分の第２の実施例の右側面断面図である
【図７】  本発明の中敷き及びその中敷きを装着した履物の中敷き部分の第３の実施例である。
【発明を実施するための最良の形態】
【００１４】  以下、本発明を図面に示す実施形態図１〜７に基づき説明をする。ただし、以下の実施するための形態は、本発明の中敷きおよび履物の一例として説明するものであり、この説明の図の項に限定されるものではない。【００１５】  図１は、本発明の中敷き及びその中敷きを装着した履物の中敷き部分の斜視図である。中敷き部分１、中敷き１の両側部に形成する凹欠部２、３から構成される。【００１６】  図２は、本発明の中敷き及びその中敷きを装着した履物の中敷き部分の底面の斜視図である。中敷き部分１、中敷き部分１の両側部に形成する凹欠部２、３、底面に形成する凸起部４、凸起部を保持する保持部５から構成される。凸起部４は、本発明の中敷き部分１で最も厚く形成されるものである。この山状の凸起部の厚さは目的、対象者に合わせて随意決定することができる。この凸起部の厚さにより、歩行時の足の離着をする際に中敷きと足裏、足首の接地角度を設定することができる。足裏、足首の接地角度により体の前面の筋肉、後面の筋肉にかかる負荷を随意変えることが可能となる。【００１７】  図３は、本発明の中敷き及びその中敷きを装着した履物の中敷き部分１の正面図ある。中敷きの両側部に形成する凹欠部２、３、底面に形成する凸起部４、凸起部４を保持する保持部５、中敷き部分１の上面６から構成される。底面に形成する凹欠部２、３は足の親指側の拇指球と小指側の小指球に相当する部位に形成することが望ましい。また、上面６はやや円弧を描くように形成し、中敷き部分１の略中心部分が高くなるように形成する。【００１８】  図４は、本発明の中敷き及びその中敷きを装着した履物の中敷き部分１の下面に形成する凸起部４を、上面に形成した場合の図である。図１を裏返して履物に装着することも可能である。【００１９】  図５は、本発明の中敷き及びその中敷きを装着した履物の中敷き部分の第２の実施例である。中敷き部分７、中敷き部分７の上面に形成する凸起部８、中敷き部分７に形成する欠切部９、１０、空気室１１から構成される。空気室１１は、全体を弾力部材や発泡材などで形成することも可能である。【００２０】  図６は、本発明の中敷き及びその中敷きを装着した履物の中敷き部分の第２の実施例の側面断面図である。第２の実施例７、空気室１１から構成される。凸起部８の高さは、空気室１１の大きさや欠切部９、１０の形状を変えることで随意調整することが可能である。高さを変えることで、足に加わる負荷の度合いが変わり、高くなるほど負荷が大きく、低くなるほど負荷が小さくなる。中敷き部分７の高さ、素材は対象年齢、用途などにより随意設定することができる。【００２１】  また、踵から着地した場合は足裏と地面の接地角度が通常より大きくなることで、ふくらはぎが伸ばされ体の後面の筋肉に負荷をかけることができる。例えば、ふくらはぎ、太ももの裏側、背中の筋肉に刺激を与えることが期待できる。さらに、足の指先で蹴り上げる時には、足裏と地面の接地角度が通常より大きくなることで、体の前面側の筋肉に負荷をかけることができ、例えば、脛、太ももの前面、腹筋などに刺激を与えることが可能である。本発明の中敷き部分７は、坂道を歩いている時のような負荷を体に与えることができるもの��ある。【００２２】  図７は、本発明の中敷き及びその中敷きを装着した履物の中敷き部分の第３の実施例の平面図である。第３の実施例の中敷き部分１２、中敷き部分の底面両側部に形成する凹欠部１３、１４から構成される。拇指球に相当する部分に形成する凹欠部を１３、小指球に相当する部分に形成する凹欠部１４とする。図７から分かるように、通常の中敷きの半分、土踏まずから踵側までが欠切された状態であり、通常の中敷きの略半分の大きさに形成することができる。中敷きは半分ではあるが、機能的には第１の実施例と第２の実施例と同等の機能を発揮することができる。また、誰でも容易に靴の中に装着でき、コンパクトな形状から気軽に鞄に入れて持ち歩くことができ、随意使用が可能となる。【００２３】  また、足の親指側の拇指球と小指側の小指球に相当する部分が薄く形成されていることで、第１の実施例、第２の実施例と同様に親指、小指を含めた指全体が横に広がるように形成されている。指全体が開くことで、本来人間が裸足で歩いていた頃のように、足の指先や足の筋肉を十分に使った歩行ができ、足の筋肉が弱った時に起こる外反母趾などの予防も期待できる。
【産業上の利用可能性】
【００２４】  老若男女誰でも足の指を使って歩くことで、普段使われない筋力を強化し体力を増強することができる中敷き及び履物を提供する。
【符号の説明】
【００２５】  １、７、１２    中敷き部分
２、３、９、１０、１３、１４    凹欠部
４、８    凸起部
５        保持部
６        上面
【図１】
2014128544.tif 000003
【図２】
2014128544.tif 000004
【図３】
2014128544.tif 000005
【図４】
2014128544.tif 000006
【図５】
2014128544.tif 000007
【図６】
2014128544.tif 000008
【図７】
2014128544.tif 000009